(57)【要約】【課題】製造・取り扱いの容易な製造コストの安い扁平導体用コネクタを得る。【解決手段】上方前半部に開口部を有し、その開口部に面して複数の接触子８を収納したハウジング４に、接触子８と対向する上方に下向きにハウジングと一体に形成した複数の突起部９を形成する。蓋状の加圧部材７は、両端部に軸を有し開口部を覆い開閉するその閉位置において挟み込まれた扁平導体を通して受ける接触子８の圧力をハウジング４の突起部９に接して受け止める。ハウジング４には、加圧部材７の軸を支承する軸支手段を設ける。【選択図】        図４
2004165024.tif 000002
【特許請求の範囲】
【請求項１】
上方前半部に開口部を有し、該開口部に面して複数の接触子を収納したハウジングと、
前記接触子と対向するハウジング上方に下向きにハウジングと一体に形成した複数の突起部と、
両端部に軸を有し前記開口部を覆い開閉するその閉位置において挟み込まれた扁平導体を通して受ける前記接触子の圧力を前記突起部に接して受け止める蓋状の加圧部材と、
前記ハウジングに固定される前記軸を支承する軸支手段と、
を有することを特徴とする扁平導体用コネクタ。
【請求項２】
前記ハウジングが、前記突起部後方に成型時の金型を抜くための型抜き開口を具備したことを特徴とする請求項１に記載の扁平導体用コネクタ。
【請求項３】
前記突起部を、前記ハウジングの両端と中央部に設けたことを特徴とする請求項１に記載の扁平導体用コネクタ。
【発明の詳細な説明】
【０００１】
【発明の属する技術分野】
この発明は、フレクシブルフラットケーブル（ＦＦＣ）、フレクシブルプリント基板（ＦＰＣ）等の扁平導体をプリント基板に接続するための扁平導体用コネクタに関する。
【０００２】
【従来の技術】
従来、この種の扁平導体用コネクタには、例えば特許第３０２２３３１号特許公報に開示されているものがある。そこに記載されているコネクタは、ハウジング上方前半部に開口部を備え、この開口部を覆うように両端が軸支された加圧部材を設け、加圧部材が扁平導体を加圧する際にその反力を受け止める突起部を接触子の一部に設けたものである。
【０００３】
また、他の扁平導体用コネクタとして、実開平４−６１８８３号公報に記載されたものがある。これは加圧部材の回動時に加圧部材の円形部とハウジング側に設けた円形凹部が回動支持をする構造となっている。
【０００４】
【発明が解決しようとする課題】
しかしながら、従来の上記前者のものにあっては、金属製の接触子はコ字状に形成された大きなものとなり、これを多数作成し組立てることは、製造および取り扱い上、部品単体時の接触子相互の絡まり等が生じ易く、製造コストも高めとなる問題がある。また、従来の上記後者のものにあっては、回動を案内する加圧部材の円形部やハウジングの円形凹部の精度管理が難しく製造上の問題を抱えている。
【０００５】
そこで、本発明は、これら従来の扁平導体用コネクタの製造および取り扱い上欠陥を減じ、より製造・取り扱いの容易な製造コストの安い扁平導体用コネクタを提供することを目的とする。
【０００６】
【課題を解決するための手段】
上記の目的を達成するため、本発明では、上方前半部に開口部を有し、該開口部に面して複数の接触子を収納したハウジングと、前記接触子と対向するハウジング上方に下向きにハウジングと一体に形成した複数の突起部と、両端部に軸を有し前記開口部を覆い開閉するその閉位置において挟み込まれた扁平導体を通して受ける前記接触子の圧力を前記突起部に接して受け止める蓋状の加圧部材と、前記ハウジングに固定される前記軸を支承する軸支手段と、を有する扁平導体用コネクタとする。これによって、ハウジングと一体に形成した複数の突起部が接触子の圧力を受けることによって、接触子の形状を単純化でき、大きさも小さくできる。また、突起部と加圧部材との接触部の嵌合精度管理は容易となる。
【０００７】
また、前記ハウジングが、前記突起部後方に成型時の金型を抜くための型抜き開口を具備した扁平導体用コネクタとすれば、突起部は、ハウジングを成形する際に同時に成形し、型抜きできるため製造が容易となる。
【０００８】
また、前記突起部を、前記ハウジングの両端と中央部に設けた扁平導体用コネクタとすれば、接触子の圧力を突起部にてより確実に受け止めることができ、蓋状の加圧部材に反りが生じ易い現象を防止できる。また成型時の金型を抜くための型抜き開口を分離して設けることができ、型抜き開口を設けることによるハウジングの強度低下を防止できる。
【０００９】
【発明の実施の形態】
以下本発明の実施の形態を図を参照しつつ説明する。
【００１０】
図１は、本発明による一実施の形態としての扁平導体用コネクタ１の加圧部材７が開放位置にある斜視図である。図２は、図１の実施の形態における加圧部材７を取り外した状態の扁平導体用コネクタ１の斜視図である。図３は、図１の実施の形態における扁平導体用コネクタ１を後方から観た斜視図で、加圧部材７が閉止位置にある。図４は、加圧部材７が閉止位置にある時の図３のＡ−Ａ線位置の縦断面図である。
【００１１】
これらの図において、扁平導体用コネクタ１は、ここでは、樹脂材で成形され上方前半部に開口部４ａ及びその開口部４ａに複数の収納溝２を備えたハウジング４と、樹脂材で成形され蓋状で両端部に軸６ａ，６ｂを備えた加圧部材７と、ハウジング４の両端部の溝に収納した金属性の軸受５ａ，５ｂ、ハウジングの複数の収納溝２に収納され先端に接触部８ａを備えた金属板の接触子８と、から構成される。
【００１２】
図２に示すように、ハウジング４の上ビーム部３には下方に向いた先端が円弧状の突起部９がここでは３ヶ所すなわち左右両端と中央部に設けてある。突起部９は図２に示すごとく接触子８の５本分位の横方向の幅を有する。そして図３と図４に示すように、突起部９の後方にはハウジングを成型する際の金型を抜くための型抜き開口１０が突起部９の幅とほぼ同じ幅でそれぞれ設置される。型抜き開口１０は、図３に示すごとく後方に開口した孔となっている。
【００１３】
この突起部９は幅を広くすると型抜き開口１０の幅も広くなり、上下方向の強度が出ず、扁平導体を加圧部材７が加圧すると上に撓んでしまうので適度な幅と個数も適度にする必要がある。この実施の態様では、成型時の金型を抜くための型抜き開口１０を分離して設けており、型抜き開口を設けることによるハウジングの強度低下を防止している。
【００１４】
なお、ハウジング４には、接触子８の差込み片８ｂが差込まれる差込み孔１１、接触子８の差込み片８ｃが差込まれる差込み溝１２、配線基板への位置決めのための複数の位置決めボス４ｂが設けられている。接触子８は、上記のように、金属板で形成され、上部に弾性腕に支えられた接触部８ａ、その下方に差込み片８ｂ，８ｃ、下方の反対方向に伸びたテール端子部８ｄを有する。加圧部材７は、左右端に軸６ａ，６ｂを有し、図４に示すように、回転操作のための操作部７ａ、ハウジング４の突起部９と接する付近に受け部７ｄ、そこから伸びた頭部７ｂが、設けられている。左右端の軸６ａ，６ｂは、軸受５ａ，５ｂの図２に示す軸受孔５ｃ，５ｄ（５ｄは図示せず）により軸支持されている。
【００１５】
次に突起部９の成形について説明すると、突起部９はハウジング４を成型する際に同時に成型する。この際、突起部９は上ビーム３の下方にオーバーハングした形状であるが後方に型抜き開口１０を設けたことによって、この開口から突起部９の図４での左側を成形する型は抜き取ることができる。樹脂材による一体成形のため、金属製の接触子に比して製造しやすく、製造コストも削減できる。
【００１６】
次に接続の操作について説明する。上記の実施の形態の扁平導体用コネクタ１に、加圧部材７を図１のように開放位置として、扁平導体を図１の左方向から右方向に向って、挿入する。その後、加圧部材７の操作部７ａを押して回転させ、閉位置（図３、図４の位置）まで回転して扁平導体を挟み込む。このとき、ハウジング４に収納された複数の接触子８からの力をハウジング４と一体に形成した複数の突起部９が受ける。すなわち、加圧部材７は、挟み込まれた扁平導体を通して受ける接触子８の圧力を、突起部９に接して受け止める。こうして、接触子８からの圧力を突起部９にてより確実に受け止めることができ、蓋状の加圧部材７に反りが生じ易い現象を防止できる。
【００１７】
【発明の効果】
以上説明したように、本発明によれば、接触子と対向するハウジング上方に下向きにハウジングと一体に形成した複数の接触子の圧力を受け止める突起部を形成したため、接触子の形状を単純化でき、大きさも小さくできる。また、突起部と加圧部材との接触部の嵌合精度管理も容易になる。
【図面の簡単な説明】
【図１】本発明による一実施の形態としての扁平導体用コネクタの加圧部材が開放位置にある斜視図である。
【図２】図１の実施の形態における加圧部材を取り外した状態の扁平導体用コネクタの斜視図である。
【図３】図１の実施の形態における扁平導体用コネクタを後方から観た斜視図で、加圧部材が閉止位置にある。
【図４】加圧部材が閉止位置にある時の図３のＡ−Ａ線位置の縦断面図である。
【符号の説明】
１  扁平導体用コネクタ、２  収納溝、３  上ビーム部、４  ハウジング、４ａ  開口部、４ｂ  位置決めボス、５ａ，５ｂ  軸受、６ａ，６ｂ  軸、７  加圧部材、７ａ  操作部、７ｂ  頭部、７ｄ  受け部、８  接触子、８ａ  接触部、８ｂ，８ｃ  差込み片、８ｄ  テール端子部、９  突起部、１０  型抜き開口、１１  差込み孔、１２  差込み溝。
【図１】
2004165024.tif 000003
【図２】
2004165024.tif 000004
【図３】
2004165024.tif 000005
【図４】
2004165024.tif 000006